(57)【要約】  本発明は、サイド脚片を備えたベースプレートと固定部分とから成る取付けユニットを備えたブスバーシステムであって、固定部分が取付けユニットに結合されており、取付けユニットがブスバーホルダおよびブスバーのための収容部を形成し、ブスバーホルダおよびブスバーがカバーおよび／または接続装置のためのアダプタにより覆われており、カバーおよび／またはアダプタが差込みおよび／または係止収容部により取付けユニットに機械的に結合されており、かつアダプタが付加的に電気的にブスバーに接続されている形式のものに関する。安価に製作可能かつ取付け可能な取付けユニットは、機能的な要求を損ねることなく、取付けユニットが、サイド脚片の外面に張出し互いに間隔を置いた保持フランジおよび固定フランジにより、係止収容部を形成し、該係止収容部内に、弓形の固定部分が差込み可能かつ／または係止可能であり、カバーおよび／またはアダプタの差込みおよび／または係止収容部が、保持フランジと、弓形の固定部分の、前記保持フランジに結合されたサイド脚片とを収容するようにしたことにより実現される。
2007531486.tif 000002
【特許請求の範囲】
【請求項１】
サイド脚片（１２，１３）を備えたベースプレート（１１）と固定部分（２０）とから成る取付けユニット（１０）を備えたブスバーシステムであって、固定部分（２０）が取付けユニット（１０）に結合されており、取付けユニット（１０）がブスバーホルダおよびブスバーのための収容部を形成し、ブスバーホルダおよびブスバーがカバー（３０）および／または接続装置のためのアダプタにより覆われており、カバー（３０）および／またはアダプタが差込みおよび／または係止収容部（３２，３４）により取付けユニット（１０）に機械的に結合されており、かつアダプタが付加的に電気的にブスバーに接続されている形式のものにおいて、
取付けユニット（１０）が、サイド脚片（１２，１３）の外面に張出し互いに間隔を置いた保持フランジ（１４，１５）および固定フランジ（１６，１７）により、係止収容部を形成し、該係止収容部内に、弓形の固定部分（２０）が差込み可能かつ／または係止可能であり、カバー（３０）および／またはアダプタの差込みおよび／または係止収容部（３２，３４）が、保持フランジ（１４，１５）と、弓形の固定部分（２０）の、前記保持フランジ（１４，１５）に結合されたサイド脚片（２２）とを収容することを特徴とする、ベースプレートと固定部分とから成る取付けユニットを備えたブスバーシステム。
【請求項２】
固定部分（２０）の、取付けプレート（１１）の固定フランジ（１６，１７）に対面したサイド脚片（２３）が、係止歯（２４）を支持しており、該係止歯（２４）が、ベースプレート（１１）の固定フランジ（１６，１７）の、当付けられる上面に設けられた係止収容部（１６′，１７′）内に係入する、請求項１記載のブスバーシステム。
【請求項３】
固定部分（２０）のサイド脚片（２３）に設けられた係止歯（２４）が、差込みおよび／または係止方向で連続的に増加する厚さを有しており、この方向で減少する深さを有し、ベースプレート（１１）の固定フランジ（１６，１７）の、対面する上面に設けられた係止収容部（１６′，１７′）内に係入する、請求項２記載のブスバーシステム。
【請求項４】
ベースプレート（１１）に対して間隔を置いた保持フランジ（１４，１５）が自由端に、ベースプレート（１１）に向かって方向付けられた係止脚片（１８）を有しており、該係止脚片（１８）が、サイド脚片（１２，１３）の外面に対面した面に、固定部分（２０）のサイド脚片（２２）の、差込み先端部（２７）として形成された端部のための差込み収容部（１９）を有している、請求項１から３までのいずれか１項記載のブスバーシステム。
【請求項５】
固定部分（２０）の、ベースプレート（１１）の固定フランジ（１６，１７）に対面したサイド脚片（２３）がストッパ区分（２５）を有しており、該ストッパ区分（２５）が、固定部分の差込みおよび／または係止時、固定フランジ（１６，１７）の端面に当接し、差込みおよび／または係止運動を終了する、請求項１から４までのいずれか１項記載のブスバーシステム。
【請求項６】
差込まれたかつ／または係止された固定部分（２０）が当付け脚片（２１）でもってベースプレート（１１）のサイド脚片（１２，１３）の外面に当付けられており、かつ当付け脚片（２１）が固定部分（２０）のサイド脚片（２２，２３）を互いに結合する、請求項５記載のブスバーシステム。
【請求項７】
固定部分（２０）のストッパ区分（２５）が延長区分（２６）に移行しており、該延長区分（２６）がベースプレート（１１）の固定フランジ（１６，１７）に接続し、その外側の固定面と面一に終わっている、請求項５または６記載のブスバーシステム。
【請求項８】
ベースプレート（１１）の保持フランジ（１４，１５）が、固定部分（２０）の、結合されたサイド脚片（２２）と共に、カバー（３０）および／またはアダプタの差込みおよび／または係止収容部（３２，３４）のための対応差込みおよび／または対応係止エレメントとして設計されている、請求項１から７までのいずれか１項記載のブスバーシステム。
【発明の詳細な説明】
【技術分野】
【０００１】
本発明は、サイド脚片を備えたベースプレートと固定部分とから成る取付けユニットを備えたブスバーシステムであって、固定部分が取付けユニットに結合されており、取付けユニットがブスバーホルダおよびブスバーのための収容部を形成し、ブスバーホルダおよびブスバーがカバーおよび／または接続装置のためのアダプタにより覆われており、カバーおよび／またはアダプタが差込みおよび／または係止収容部により取付けユニットに機械的に結合されており、かつアダプタが付加的に電気的にブスバーに接続されている形式のものに関する。
【０００２】
この種のブスバーシステムは欧州特許出願公開第０９２６７９０号明細書、欧州特許出願公開第０９２６７９１号明細書および独国実用新案第９３０６０１３号明細書から公知である。その際、取付けユニットの、固定部分を備えた取付けプレートからの製作は、ブスバーシステムに関するコストを決定する。この理由から既に、ベースプレートを固定部分とワンピースにまとめることによりコストを減じる試みがなされている。このことは複雑な工具もしくは型を前提とし、異形材ストランド（プロフィル）から切出された区分としての製作を一般にコスト上の理由から排除する。
【０００３】
コストを減じる別の試みは取付けユニットのために、より簡単に形成され、別個に製作された固定部分に結合され得るベースプレートを使用する。それでもなおかなりの取付け手間が必要である。それというのも、固定部分がブスバーシステムの全長にわたってベースプレートに結合され、ベースプレートの各縦側面に１つの固定部分が取付けられねばならないからである。
【０００４】
本発明の課題は、冒頭で述べた形式のブスバーシステムにおいて、取付けユニットのための製作コストを、ベースプレートおよび固定部分が簡単な部分として製作され、極めて簡単な取付けにより互いに結合され得ることにより大幅に減じ、その際に、取付けユニットに課される要求が損なわれないようにすることである。
【０００５】
この課題は本発明により、取付けユニットが、サイド脚片の外面に張出し互いに間隔を置いた保持フランジおよび固定フランジにより、係止収容部を形成し、該係止収容部内に、弓形の固定部分が差込み可能かつ／または係止可能であり、カバーおよび／またはアダプタの差込みおよび／または係止収容部が、保持フランジと、弓形の固定部分の、前記保持フランジに結合されたサイド脚片とを収容することにより解決される。
【０００６】
第１の利点は、両部分、すなわちベースプレートと固定部分とが簡単な押出し成形材として製作され、所望の長さに切出され得る点にある。ベースプレートの両縦側面のために、固定部分が１８０°反転して取付けられれば、同一の固定部分が使用され得る。カバーおよび装置アダプタは差込みおよび／または係止収容部を備えて、ベースプレートの保持フランジが、固定部分の、結合されたサイド脚片と共に、カバーおよび／またはアダプタの差込みおよび／または係止収容部のための対応エレメントとして設計されていると不変に受け継がれることができる。
【０００７】
ベースプレートと固定部分との間の係止結合は、固定部分の、取付けプレートの固定フランジに対面したサイド脚片が、係止歯を支持しており、該係止歯が、ベースプレートの固定フランジの、当付けられる上面に設けられた係止収容部内に係入することにより形成されている。
【０００８】
固定部分は、ベースプレートに対して間隔を置いた保持フランジが自由端に、ベースプレートに向かって方向付けられた係止脚片を有しており、該係止脚片が、サイド脚片の外面に対面した面に、固定部分のサイド脚片の、差込み先端部として形成された端部のための差込み収容部を有していることにより、暫定的にベースプレートの収容部内に位置固定される。
【０００９】
位置固定後、係止結合は、固定部分のサイド脚片に設けられた係止歯が、差込みおよび／または係止方向で連続的に増加する厚さを有しており、この方向で減少する深さを有し、ベースプレートの固定フランジの、対面する上面に設けられた係止収容部内に係入するようになっていると簡単に達成される。
【００１０】
固定部分の、ベースプレートの収容部内での係止終端位置は、別の構成では、固定部分の、ベースプレートの固定フランジに対面したサイド脚片がストッパ区分を有しており、該ストッパ区分が、固定部分の差込みおよび／または係止時、固定フランジの端面に当接し、差込みおよび／または係止運動を終了すること、ならびに差込まれたかつ／または係止された固定部分が当付け脚片でもってベースプレートのサイド脚片の外面に当付けられており、かつ当付け脚片が固定部分のサイド脚片を互いに結合することによりさらに確定される。
【００１１】
別の構成では、固定部分のストッパ区分が延長区分に移行しており、該延長区分がベースプレートの固定フランジに接続し、その外側の固定面と面一に終わっているようになっていると、固定部分の延長区分は、取付けユニットを、固定したい面上に固定するために使用されることができる。
【００１２】
本発明について図面に示した実施例を参照しながらより詳細に説明する。
図１：ベースプレートと２つの固定部分とから成り、カバーにより覆われている取付けユニットの横断面図である。
図２：図１に示した取付けユニットの左縦側面でのベースプレートと固定部分との結合部を拡大して示すと共に、カバーの取付け部も同時に示す抜粋横断面図である。
図３：図１に示した取付けユニットの右縦側面でのベースプレートと固定部分との結合部を拡大して示すと共に、カバーまたはアダプタの取付け部も同時に示す抜粋横断面図である。
【００１３】
図１に示した横断面図が示すように、ベースプレート１１は、上に向かって方向付けられた両サイド脚片１２，１３と相俟って、公知の形式で収容部４０を形成する。収容部４０は所定の長さにわたって続いている。このベースプレート１１は、サイド脚片１２，１３と、サイド脚片１２，１３の外面に張出した保持フランジ１４，１５ならびに固定フランジ１６，１７とを備えて、異形材ストランドから所望の長さの区分として切り出される。
【００１４】
収容部４０内には２部分のブスバーホルダが装入される。ブスバーホルダ内にはブスバーが固定されている。ブスバーとブスバーホルダとから成るこのユニットは公知の形式で取付けユニット１０の収容部４０内に装入され、その中に固定される。それゆえ固定の詳細について本発明の枠内で立入る必要はない。新しい点は取付けユニット１０におけるベースプレート１０の両縦側面での両固定部分２０の取付けにあり、この取付けについては図２および図３に示した抜粋横断面図の説明でより詳細に立入る。
【００１５】
図１でなお言及すべき点は、サイド脚片１２，１３に結合された固定部分２０が延長区分２６でもってベースプレート１１の固定フランジ１６，１７を延長し、取付けユニット１０を、固定したい面上に固定するために使用され得ることにある。それゆえ固定部分２０のこれらの延長区分２６はベースプレート１１の下面とも面一に終わる。
【００１６】
図２に示した抜粋横断面図が示すように、ベースプレート１１のサイド脚片１２に設けられた保持フランジ１４および固定フランジ１６は方形の収容部をサイド脚片１２の外面に形成する。この収容部内には弓形の固定部分２０が差込まれ、かつ係止される。保持フランジ１４は端部に、固定フランジ１６に向かって方向付けられた係止脚片１８を有している。係止脚片１８は、サイド脚片１２に対面した内面に、差込み収容部１９を有している。この差込み収容部１９内には、固定部分２０のサイド脚片２２の端部に形成された差込み先端部２７が導入される。その後、サイド脚片２３がますますベースプレート１０の収容部内に旋回運動により嵌合される。その際、固定部分２０のサイド脚片２３は固定フランジ１６の上面に沿って、サイド脚片２３に一体成形された係止歯２４が固定フランジ１６の係止収容部１６′内に係入し、差込まれた固定部分２０を最終的に固定するまで滑動する。係止歯２４は差込みおよび係止方向で厚さを増し、係止収容部１６′は同じ方向で深さを減じる。係止歯２４および係止収容部１６′のこの構成は、ベースプレート１１への固定部分２０の一義的な保持を保証する。
【００１７】
さらに、差込みおよび／または係止運動は、固定部分２０のサイド脚片２３に設けられたストッパ区分２５により、これが固定フランジ１６の端面に当接すると制限される。同時に、当付け脚片２１はサイド脚片１２の外面に当付けられる。終端位置は図２に明示されている。
【００１８】
符号３１はカバー３０のサイド脚片を指している。サイド脚片３１は差込み収容部３２で終わっている。この差込み収容部３２の進入開口は、固定部分２０の、差込まれるサイド脚片２２を含めた、保持フランジ１４の寸法に合わせて調整されている。差込み収容部３２が予め決められている場合は、サイド脚片２２を含めた保持フランジ１４が差込み収容部３２に適合される。新しい取付けユニット１０はそれによりカバーおよびアダプタを備えた既存のブスバーシステムのために適合され得る。
【００１９】
同様に、同一の固定部分２０が、サイド脚片１３を備えたベースプレート１１の右側の縦側面に固定され得る。サイド脚片１３の保持フランジ１５は端部に係止脚片１８を有している。係止脚片１８はやはり差込み収容部１９を支持し、固定部分２０のサイド脚片２２の端部に設けられた係止先端部２７を収容し、かつ位置固定する。固定部分２０の係止歯２４はベースプレート１１の固定フランジ１７の係止収容部１７′内に係入する。固定部分２０のストッパ区分２５、当付け脚片２１および延長区分２６は、取付けユニット１０の左側の縦側面における結合部と同じ機能を請け負う。
【００２０】
カバー３０のサイド脚片３３またはアダプタの相応の側面は係止収容部３４で終わっている。係止収容部３４の構成は公知である。係止収容部３４の、一体成形された部分は、係止傾斜部３５を形成する。その結果、カバー３０またはアダプタは、差込み収容部３２でもって左側の差込み結合が形成された後、右側で上から、固定部分２０のサイド脚片２２が差込まれた保持フランジ２２上に係止されることができる。
【図面の簡単な説明】
【００２１】
【図１】ベースプレートと２つの固定部分とから成り、カバーにより覆われている取付けユニットの横断面図である。
【図２】図１に示した取付けユニットの左縦側面でのベースプレートと固定部分との結合部を拡大して示すと共に、カバーの取付け部も同時に示す抜粋横断面図である。
【図３】図１に示した取付けユニットの右縦側面でのベースプレートと固定部分との結合部を拡大して示すと共に、カバーまたはアダプタの取付け部も同時に示す抜粋横断面図である。
【図１】
2007531486.tif 000003
【図２】
2007531486.tif 000004
【図３】
2007531486.tif 000005
【国際調査報告】
2007531486.tif 000006
2007531486.tif 000007
2007531486.tif 000008
2007531486.tif 000009